【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
第１の電極、前記第１電極の周囲を取り囲んで前記第１電極と接触し、放射線が入射される半導体素子、及び前記半導体素子の外面に設けられる第２の電極を有する複数の放射線検出素子と、
前記放射線検出素子から出力される信号を処理する集積回路を備え、
前記第１電極は前記半導体素子の一端より突出しており、
前記第１電極が信号出力電極であり、前記第２電極が電圧印加電極であること、
を特徴とする放射線検出器。
【請求項２】
前記放射線検出素子を着脱可能に保持する複数の保持部と、前記保持部に保持された前記放射線検出素子の前記第１電極の突出部と接触する第１電気接続部と、前記放射線検出素子の前記第２電極と接触する第２電気接続部とを備えること、
を特徴とする請求項１に記載の放射線検出器。
【請求項３】
第１の電極、前記第１電極の周囲を取り囲んで前記第１電極と接触し、放射線が入射される半導体素子、及び前記半導体素子の外面に設けられる第２の電極を有し、前記第１電極が前記半導体素子の一端より突出し、前記第１電極及び前記第２電極のうちの一方の電極が放射線検出信号を出力する信号出力電極であり他方の電極が電圧印加電極である複数の前記放射線検出素子と、
前記複数の放射線検出素子を着脱可能に保持し、前記信号出力電極と接触する複数の第１電気接続部及び前記電圧印加電極と接触する複数の第２電気接続部を有する素子保持手段と、
前記複数の放射線検出素子のそれぞれの前記信号出力電極から出力された放射線検出信号を処理する集積回路と、
前記集積回路が設置された集積回路保持手段とを備え、
前記素子保持手段が前記複数の第１電気接続部に別々に接続された複数の第１コネクタ部、及び前記複数の第２電気接続部にそれぞれ接続された第２コネクタを有し、前記集積回路保持手段が前記集積回路に接続されて前記複数の第１コネクタ部に別々に着脱可能に取り付けられる複数の第３コネクタ部、及び前記第２コネクタに着脱可能に取り付けられて電圧を印加する第４コネクタ部を有することを特徴とする放射線検出器。
【請求項４】
前記第２電極は前記半導体素子の周囲の前記側面を取り囲んで設けられ、前記第１電極、前記半導体素子及び前記第２電極が同軸状に配置されている請求項１または請求項３に記載の放射線検出器。
【請求項５】
前記複数の放射線検出素子の放射線入力側に、前記複数の放射線検出素子に対応して設けられた複数の放射線通路を形成したコリメータを配置した請求項１ないし請求項４のいずれか１項に記載の放射線検出器。
【請求項６】
前記コリメータは前記複数の放射線通路を放射状に配置しており、前記放射線検出素子の長手方向が前記放射線通路の延長線上に位置するように前記放射線検出素子を配置した請求項５に記載の放射線検出器。
【請求項７】
第１電極と、前記第１電極の周囲を取り囲んで前記第１電極と接触し、放射線が入射される半導体素子と、前記半導体素子の側面に設けられた第２電極とを備え、前記第１電極の一部が、前記半導体素子の前記第２電極が設けられていない端面から突出しており、前記第１電極が信号出力電極であることを特徴とする複数の放射線検出素子。
【請求項８】
前記第２電極は前記半導体素子の周囲の前記側面を取り囲んで設けられ、前記第１電極、前記半導体素子及び前記第２電極が同軸状に配置されている請求項７に記載の放射線検出素子。
【請求項９】
放射線が入射され、この放射線の入射方向と交差する方向に並列に配置された複数の半導体素子と、隣接する前記半導体素子間に配置され、これらの半導体素子の向き合っているそれぞれの第１側面に接触している第１電極と、前記隣接する半導体素子の、前記交差する方向に位置するそれぞれの第２側面に接触している第２電極とを備え、前記第１電極が、前記半導体素子の、前記放射線が入射する一端面とは反対側に位置する他端面よりも突出し、前記第１電極の幅を前記第２電極のそれよりも狭くしたことを特徴とする放射線検出素子。
【請求項１０】
前記素子保持部材が、前記放射線検出素子を着脱可能に保持する複数の保持部を有し、それぞれの前記保持部に前記第１電気接続部及び前記第２電気接続部を設けた請求項３に記載の放射線検出器。
【請求項１１】
前記保持部は、前記放射線検出素子の前記半導体素子を含む部分が挿入される第１孔部と前記放射線検出素子の第１電極の突出部が挿入される第２孔部を直列に配置しており、前記第１孔部内に前記第１電気接続部及び前記第２電気接続部のうちの一方の電気接続部を設置し、前記第２孔部内に他方の電気接続部を設置している請求項１０に記載の放射線検出器。
【請求項１２】
前記放射線検出素子が請求項７または請求項９に記載の放射線検出素子である請求項３に記載の放射線検出器。
【請求項１３】
前記複数の放射線検出素子を着脱可能に保持し、信号出力電極である前記第１電極と接触する複数の第１電気接続部及び電圧印加電極である前記第２電極と接触する複数の第２電気接続部を有する素子保持手段と、
前記複数の放射線検出素子のそれぞれの前記第１電極から出力された放射線検出信号を処理する集積回路と、
前記集積回路が設置された集積回路保持手段とを備え、
前記素子保持手段が前記複数の第１電気接続部に別々に接続された複数の第１コネクタ部、及び前記複数の第２電気接続部にそれぞれ接続された第２コネクタを有し、前記集積回路保持手段が前記集積回路に接続されて前記複数の第１コネクタ部に別々に着脱可能に取り付けられる複数の第３コネクタ部、及び前記第２コネクタに着脱可能に取り付けられて電圧を印加する第４コネクタ部を有する請求項９記載の放射線検出器。
【請求項１４】
放射線を遮蔽し複数の貫通孔を有する導電性遮蔽体と、各々の前記貫通孔内にそれぞれ配置された放射線検出素子と、前記放射線検出素子が着脱自在に取り付けられる素子保持手段とを備え、
前記放射線検出素子は、第１電極と、前記第１電極の周囲を取り囲んで前記第１電極と接触し、放射線が入射される半導体素子と、前記半導体素子の外側の側面に設けられた第２電極とを備え、前記第１電極の一部が、前記半導体素子の前記第２電極が設けられていない端面から突出しており、
前記第１電極が前記素子保持手段に設けられた電気接続部に接続され、前記第２電極が前記導電性遮蔽体に接続されたことを特徴とする放射線検出器。
【請求項１５】
放射線を遮蔽し複数の貫通孔を有する導電性遮蔽体と、各々の前記貫通孔内にそれぞれ配置された放射線検出素子と、前記放射線検出素子が着脱自在に取り付けられる素子保持手段とを備え、
前記放射線検出素子は、放射線が入射され、この放射線の入射方向と交差する方向に並列に配置された複数の半導体素子と、隣接する前記半導体素子間に配置され、これらの半導体素子の向き合っているそれぞれの第１側面に接触している第１電極と、前記隣接する半導体素子の、前記交差する方向に位置するそれぞれの第２側面に接触している第２電極とを備え、前記第１電極が、前記半導体素子の、前記放射線が入射する一端面とは反対側に位置する他端面よりも突出し、前記第１電極の幅が前記第２電極のそれよりも狭くなっており、
前記第１電極が前記素子保持手段に設けられた第１電気接続部に接続され、前記第２電極が前記導電性遮蔽体に接続されたことを特徴とする放射線検出器。
【請求項１６】
前記導電性遮蔽体のそれぞれの前記貫通孔内に前記第２電極と接触する前記第２電気接続部を設けている請求項１４または請求項１５に記載の放射線検出器。
【請求項１７】
前記第１電極が放射線検出信号を出力する信号出力電極であって前記第２電極が電圧印加電極であり、
前記複数の放射線検出素子のそれぞれの前記信号出力電極から出力された放射線検出信号を処理する集積回路と、
前記集積回路が設置された集積回路保持部材とを備え、
前記素子保持部材が前記複数の第１電気接続部に別々に接続された複数の第１コネクタ部、及び前記複数の第２電気接続部にそれぞれ接続された第２コネクタを有し、前記集積回路保持部材が前記集積回路に接続されて前記複数の第１コネクタ部に別々に着脱可能に取り付けられる複数の第３コネクタ部、及び前記第２コネクタに着脱可能に取り付けられて電圧を印加する第４コネクタ部を有する請求項１６に記載の放射線検出器。
【請求項１８】
前記貫通孔の軸方向における前記遮蔽体の長さが、前記放射線検出素子の前記半導体素子の前記軸方向における長さ以上の長さを有する請求項１４ないし請求項１７のいずれか１項に記載の放射線検出器。
【請求項１９】
前記貫通孔の軸方向における前記遮蔽体の長さが、前記放射線検出素子の前記半導体素子の前記軸方向における長さよりも短くなって請求項１４ないし請求項１７のいずれか１項に記載の放射線検出器。
【請求項２０】
請求項７または請求項９に記載の複数の放射線検出素子と、
前記放射線検出素子から出力される放射線検出信号を処理する信号処理集積回路と、
前記信号処理集積回路から出力される情報を用いて画像情報を作成する画像情報作成装置とを備えた放射線撮像装置。
【請求項２１】
放射線を遮蔽し複数の貫通孔を有する導電性遮蔽体と、各々の前記貫通孔内にそれぞれ配置された、請求項７または請求項９に記載の放射線検出素子と、前記放射線検出素子が着脱自在に取り付けられる素子保持部材と、前記放射線検出素子から出力される放射線検出信号を処理する信号処理集積回路と、前記信号処理集積回路から出力される情報を用いて画像情報を作成する画像情報作成装置とを備えた放射線撮像装置。